(57)【要約】【課題】使用者の好みや体型に応じて枕の高さを調整することができ、快適な睡眠を得ることのできる枕を提供する。【解決手段】枕１は、枕本体２と、枕本体２に装着可能な高さ調整部材６と、を有する。また、枕本体２は、後頭部を支持する後頭部支持部２Ａと、後頭部支持部の両側に位置し、側頭部を支持する側頭部支持部２Ｂ、２Ｃと、を有する。また、枕本体２は、奥行き方向に離間し、後頭部支持部２Ａと側頭部支持部２Ｂ、２Ｃとに亘って配置された第１突出部４および第２突出部５を有する。また、高さ調整部材６は、枕本体２の裏面側に配置され、枕本体２の高さを全体的に高くする第１調整部材７と、側頭部支持部２Ｂ、２Ｃにおいて第１、第２突出部４、５に装着され、側頭部支持部２Ｂ、２Ｃの高さを高くする第２調整部材８と、を有する。【選択図】図１
2020031780.tif 000002
【特許請求の範囲】
【請求項１】
枕本体と、
前記枕本体に着脱自在であり、前記枕本体に装着することにより高さを変更することのできる高さ調整部材と、を有することを特徴とする枕。
【請求項２】
前記枕本体は、後頭部を支持する後頭部支持部と、
前記後頭部支持部の少なくとも一方側に位置し、側頭部を支持する側頭部支持部と、を有する請求項１に記載の枕。
【請求項３】
前記枕本体は、前記後頭部支持部と前記側頭部支持部とが並ぶ方向に直交する方向に離間し、前記後頭部支持部と前記側頭部支持部とに亘って配置された一対の突出部を有する請求項２に記載の枕。
【請求項４】
前記一対の突出部は、互いに高さが異なっている請求項３に記載の枕。
【請求項５】
前記高さ調整部材は、前記枕本体の裏面側に配置され、前記後頭部支持部および前記側頭部支持部の高さを変更する第１調整部材を有する請求項３または４に記載の枕。
【請求項６】
前記高さ調整部材は、前記側頭部支持部において前記突出部に装着され、前記側頭部支持部の高さを変更する第２調整部材を有する請求項３ないし５のいずれか１項に記載の枕。
【請求項７】
前記枕本体は、裏面に開口する凹部を有する請求項１ないし６のいずれか１項に記載の枕。
【発明の詳細な説明】
【技術分野】
【０００１】
本発明は、枕に関する。
【背景技術】
【０００２】
例えば、就寝用の枕として、特許文献１に記載されている枕が知られている。しかしながら、このような枕では、使用者の好みや体型に応じて枕の高さを調整することができないという問題がある。
【先行技術文献】
【特許文献】
【０００３】
【特許文献１】特開２０１２−１３５５１０号公報
【発明の概要】
【発明が解決しようとする課題】
【０００４】
本発明の目的は、使用者の好みや体型に応じて枕の高さを調整することができ、快適な睡眠を得ることのできる枕を提供することにある。
【課題を解決するための手段】
【０００５】
このような目的は、下記の本発明により達成される。
【０００６】
（１）  枕本体と、
前記枕本体に着脱自在であり、前記枕本体に装着することにより高さを変更することのできる高さ調整部材と、を有することを特徴とする枕。
【０００７】
（２）  前記枕本体は、後頭部を支持する後頭部支持部と、
前記後頭部支持部の少なくとも一方側に位置し、側頭部を支持する側頭部支持部と、を有する上記（１）に記載の枕。
【０００８】
（３）  前記枕本体は、前記後頭部支持部と前記側頭部支持部とが並ぶ方向に直交する方向に離間し、前記後頭部支持部と前記側頭部支持部とに亘って配置された一対の突出部を有する上記（２）に記載の枕。
【０００９】
（４）前記一対の突出部は、互いに高さが異なっている上記（３）に記載の枕。
【００１０】
（５）  前記高さ調整部材は、前記枕本体の裏面側に配置され、前記後頭部支持部および前記側頭部支持部の高さを変更する第１調整部材を有する上記（３）または（４）に記載の枕。
【００１１】
（６）  前記高さ調整部材は、前記側頭部支持部において前記突出部に装着され、前記側頭部支持部の高さを変更する第２調整部材を有する上記（３）ないし（５）のいずれかに記載の枕。
【００１２】
（７）  前記枕本体は、裏面に開口する凹部を有する上記（１）ないし（６）のいずれかに記載の枕。
【発明の効果】
【００１３】
本発明によれば、使用者の好みや体型に応じて枕の高さを調整することができるため、快適な睡眠を得ることのできる枕となる。
【図面の簡単な説明】
【００１４】
【図１】本発明の好適な実施形態に係る枕を示す分解斜視図である。
【図２】図１に示す枕の第１使用状態を示す図である。
【図３】図１に示す枕の第２使用状態を示す図である。
【図４】図１の枕が有する枕本体を示す上面図である。
【図５】図４中のＡ−Ａ線断面図である。
【図６】図４に示す枕本体の正面図である。
【図７】図４に示す枕本体の下面図である。
【図８】枕本体に高さ調整部材を装着した状態を示す斜視図である。
【図９】図８中のＢ−Ｂ線断面図である。
【図１０】枕本体に高さ調整部材を装着した状態を示す斜視図である。
【図１１】図１０中のＣ−Ｃ線断面図である。
【図１２】枕本体に高さ調整部材を装着した状態を示す斜視図である。
【図１３】図１２中のＤ−Ｄ線断面図である。
【図１４】図８中のＥ−Ｅ線断面図である。
【図１５】図１０中のＦ−Ｆ線断面図である。
【図１６】図１２中のＧ−Ｇ線断面図である。
【図１７】図１に示す枕の変形例を示す断面図である。
【図１８】図１に示す枕の変形例を示す上面図である。
【図１９】図１に示す枕の変形例を示す下面図である。
【発明を実施するための形態】
【００１５】
図１に示す枕１は、枕本体２と、枕本体２に着脱自在で、枕本体２に装着することにより枕１の高さを変更、調整することのできる高さ調整部材６と、を有する。高さ調整部材６を有することにより、使用者の好みや体型に応じて枕１の高さを変更、調整することができるため、使用者に快適な睡眠を提供することのできる枕１となる。以下、枕１の各部について順次詳細に説明する。なお、以下では、説明の便宜上、図１に示すように、互いに直交する方向を、「幅」方向、「奥行き」方向、「高さ」方向とする。
【００１６】
＜枕本体＞
図１に示すように、枕本体２は、頭部を支持する基部３と、基部３から突出する一対の突出部と、を有する。一対の突出部は、基部３に対して奥行き方向一方側に位置し、首部を支持する第１突出部４と、基部３に対して奥行き方向他方側に位置し、首部を支持する第２突出部５と、で構成されている。また、基部３、第１突出部４および第２突出部５は、奥行き方向に並んで配置され、それぞれ、枕本体２の幅方向に沿って延在している。また、第１突出部４および第２突出部５は、それぞれ、基部３から突出し、基部３よりも高くなっている。そのため、第１突出部４および第２突出部５は、首をより自然な姿勢で支持することができる。
【００１７】
また、第１突出部４および第２突出部５は、大きさが互いに異なっており、本実施形態では、第１突出部４が第２突出部５よりも大きい。そのため、使用者は、枕本体２の向きを逆さにすることにより、第１突出部４で使用者の首を支持する第１使用状態（図２参照）と、第２突出部５で使用者の首を支持する第２使用状態（図３参照）と、を好みや体型に応じて使い分けることができる。
【００１８】
図４に示すように、枕本体２の幅方向の中央部は、仰臥位のときに後頭部を支持する後頭部支持部２Ａを構成し、後頭部支持部２Ａの両側に位置する両端部は、横臥位のときに側頭部を支持する側頭部支持部２Ｂ、２Ｃを構成する。後頭部支持部２Ａは、使用者が仰臥位で寝転んだ際に後頭部を適度な高さで支持し（図３、図４の実線参照）、側頭部支持部２Ｂ、２Ｃは、それぞれ、使用者が横臥位で寝転んだ際に側頭部を適度な高さで支持する（図３、図４の鎖線参照）。
【００１９】
このような構成によれば、使用者は、体位に合わせて後頭部支持部２Ａと側頭部支持部２Ｂ、２Ｃとを使い分けることができる。そのため、枕１によれば、使用者の体位に影響されることなく、自然な姿勢で頭部を支持することができ、快適な睡眠を提供することができる。特に、後頭部支持部２Ａの両側に側頭部支持部２Ｂ、２Ｃが配置されているため、仰臥位から横臥位に寝返りをうった場合に、頭部が後頭部支持部２Ａから側頭部支持部２Ｂ、２Ｃの一方に自然に移動し、横臥位から仰臥位に寝返りをうった場合に、頭部が側頭部支持部２Ｂ、２Ｃの一方から後頭部支持部２Ａに自然に移動する。
【００２０】
ここで、仰臥位と横臥位とでは床からの頭部の高さが異なる。具体的は、仰臥位では背中が床に接触するため頭部が低くなるが、横臥位では肩が床に接触するため頭部が高くなる。そこで、枕本体２では、後頭部支持部２Ａを全体的に低く設計し、側頭部支持部２Ｂ、２Ｃを全体的に高く設計している。これにより、仰臥位のときは、後頭部支持部２Ａにおいて頭部を自然な高さで支持し、横臥位のときは、側頭部支持部２Ｂ、２Ｃにおいて頭部を自然な高さで支持することができる。そのため、枕１によれば、使用者により快適な睡眠を提供することができる。
【００２１】
図５に示すように、基部３の表面３１は、実質的な平坦面で構成され、第１突出部４側が第２突出部５側よりも高くなるように傾斜している。基部３の高さとしては、特に限定されないが、例えば、基部３の第１突出部４側の高さＴ３１を５５ｍｍ〜６５ｍｍ程度とすることができ、基部３の第２突出部５側の端部の高さＴ３２を４０ｍｍ〜５０ｍｍ程度とすることができる。
【００２２】
また、図４および図５に示すように、基部３の後頭部支持部２Ａにあたる部分には、後頭部の形状に合わせて丸みを帯びた凹部３３が形成されている。仰臥位の姿勢において凹部３３に頭部を配置することにより、安定して、かつ、より自然な姿勢で後頭部を支持することができる。なお、凹部３３の最も凹んだ部分の高さＴ３３としては、特に限定されないが、例えば、２５ｍｍ〜３５ｍｍ程度とすることができる。
【００２３】
第１突出部４が第２突出部５よりも大きいことを上述したが、具体的には、図５に示すように、第１突出部４の高さＴ４が第２突出部５の高さＴ５よりも高い。すなわち、Ｔ４＞Ｔ５の関係となっている。さらに、第１突出部４の奥行きＬ４が第２突出部５の奥行きＬ５よりも長い。すなわち、Ｌ４＞Ｌ５の関係となっている。このように、第２突出部５と比べて第１突出部４の高さおよび奥行きをそれぞれ大きくすることにより、例えば、成人等の比較的体型の大きい人が第１使用状態で枕１を用い、児童等の比較的体型の小さい人が第２使用状態を用いるといったように、使用者の体型に合わせて第１使用状態と第２使用状態とを使い分け易くなる。そのため、枕１は、使用者の体型によらず、快適な睡眠を提供することができる。
【００２４】
図５に示すように、第１突出部４は、その表面４１がラウンド状に湾曲している。そのため、頭部や首を優しく支持することができる。また、図４および図６に示すように、第１突出部４の側頭部支持部２Ｂ、２Ｃにあたる部分では、その高さＴ４および奥行きＬ４がそれぞれほぼ一定である。これにより、側頭部支持部２Ｂ、２Ｃの全域で同じように首を支持することができる。高さＴ４としては、特に限定されないが、例えば、１０５ｍｍ〜１１５ｍｍ程度とすることができる。また、奥行きＬ４としては、特に限定されないが、例えば、１３５ｍｍ〜１４５ｍｍ程度とすることができる。高さＴ４および奥行きＬ４をこのような大きさとすることにより、比較的体型の大きい使用者に適した大きさの第１突出部４となる。
【００２５】
また、図６に示すように、第１突出部４は、後頭部支持部２Ａにあたる部分に形成された凹部４２を有する。前述したように、仰臥位のときの首の高さは、横臥位のときの首の高さよりも低い。そのため、凹部４２を形成して当該部分の高さを側頭部支持部２Ｂ、２Ｃでの高さよりも低くすることにより、第１突出部４の後頭部支持部２Ａにあたる部分の高さを仰臥位のときの首の高さに合わせることができる。なお、凹部４２の最も凹んだ部分における第１突出部４の高さＴ４０としては、特に限定されないが、例えば、７５ｍｍ〜８５ｍｍ程度とすることができる。また、高さＴ４０は、前述した高さＴ３３よりも高く設定することが好ましい。
【００２６】
図５に示すように、第２突出部５は、その表面５１がラウンド状に湾曲している。そのため、頭部や首を優しく支持することができる。また、図４および図６に示すように、第２突出部５の側頭部支持部２Ｂ、２Ｃにあたる部分では、その高さＴ５および奥行きＬ５がそれぞれほぼ一定である。これにより、側頭部支持部２Ｂ、２Ｃの全域で同じように首を支持することができる。高さＴ５としては、特に限定されないが、例えば、７５ｍｍ〜８５ｍｍ程度とすることができる。また、奥行きＬ５としては、特に限定されないが、例えば、７５ｍｍ〜８５ｍｍ程度とすることができる。高さＴ５および奥行きＬ５をこのような大きさとすることにより、比較的体型の小さい使用者に適した大きさの第２突出部５となる。
【００２７】
また、図６に示すように、第２突出部５は、後頭部支持部２Ａにあたる部分に形成された凹部５２を有する。前述したように、仰臥位のときの首の高さは、横臥位のときの首の高さよりも低い。そのため、凹部５２を形成して当該部分の高さを側頭部支持部２Ｂ、２Ｃでの高さよりも低くすることにより、第２突出部５の後頭部支持部２Ａにあたる部分の高さを仰臥位のときの首の高さに合わせることができる。なお、凹部５２の最も凹んだ部分における第２突出部５の高さＴ５０としては、特に限定されないが、例えば、５５ｍｍ〜６５ｍｍ程度とすることができる。また、高さＴ５０は、前述した高さＴ３３よりも高く設定することが好ましい。
【００２８】
ここで、図４および図６に示すように、凹部４２の幅Ｗ４は、凹部５２の幅Ｗ５よりも大きい。すなわち、Ｗ４＞Ｗ５の関係となっている。前述したように、第１突出部４は、第２突出部５に対して体型の大きい人用に用いられるため、幅Ｗ４についても、幅Ｗ５よりも大きくすることにより、使用者に合った大きさの凹部４２となる。ただし、Ｗ４、Ｗ５の関係は、これに限定されず、Ｗ４≦Ｗ５であってもよい。
【００２９】
また、図７に示すように、枕本体２は、その裏面２０に開口する有底の凹部２１を有している。この凹部２１には、例えば、アロマ、漢方、香草、スピーカー、バイブレーター等、リラクゼーション効果を促す各種要素を収納することができる。図示の構成では、枕本体の四隅にそれぞれ１つずつ、計４つの凹部２１が形成されているが、凹部２１の数や配置としては、これに限定されない。例えば、さらに中央部にも凹部２１が形成されていてもよい。また、凹部２１に収納する要素としては、リラクゼーションを促すものに限定されず、いかなるものであってもよい。また、枕本体２は、凹部２１の開口を塞ぐ蓋体を別途有していてもよい。これにより、凹部２１内に収納したものの離脱を防止することができる。
【００３０】
以上のような形状を有する枕本体２は、如何なる材料で形成されていてもよい。例えば、枕本体２は、発砲ウレタン等の材料から一体形成することができる。また、枕本体２は、カバーと、カバー内に充填された充填物（詰め物）と、から構成することもできる。カバーの生地としては、例えば、綿、絹、麻、ウール、ナイロン、レーヨン、アクリル、ポリエステル製の布等を用いることができ、充填物としては、例えば、そばがら、ヒノキチップ、パイプ、ポリエチレンビーンズ、羽毛、羽根、綿わた、ポリエステルわた、ファイバーボール等を用いることができる。
【００３１】
＜高さ調整部材６＞
高さ調整部材６は、枕本体２に装着して、枕１の高さを変更するために用いられる。図１に示すように、高さ調整部材６は、枕１の高さを全体的に高くする第１調整部材７と、後頭部支持部２Ａの高さはそのままにして、側頭部支持部２Ｂ、２Ｃの高さを高くする第２調整部材８と、を有している。このように、高さ調整部材６が、第１調整部材７と第２調整部材８と、を有することにより、より細かい高さ調整を行うことができる。
【００３２】
図１に示すように、第１調整部材７は、全域に亘ってほぼ一定の厚さを有するシート状の第１シート７１および第２シート７２を有する。第１、第２シート７１、７２は、それぞれ、枕本体２の平面視形状と同じ形状となっている。このような第１、第２シート７１、７２を枕本体２の裏面２０側すなわち枕本体２と床との間に配置することにより、枕本体２の高さを全体的に高くすることができる。
【００３３】
本実施形態では、第１シート７１が第２シート７２よりも厚い。そのため、第１、第２シート７１、７２を共に用いない場合、第１シート７１だけを用いる場合、第２シート７２だけを用いる場合、第１、第２シート７１、７２を重ねて共に用いる場合の４段階で枕１の高さを変更することができる。第１シート７１の厚さとしては、特に限定されないが、例えば、５ｍｍ〜１５ｍｍ程度とすることができる。また、第２シート７１の厚さとしては、特に限定されないが、例えば、１５ｍｍ〜２５ｍｍ程度とすることができる。
【００３４】
なお、第１調整部材７の構成は、上述した構成に特に限定されない。例えば、第１シート７１および第２シート７２の一方を省略してもよい。また、第１シート７１および第２シート７２が同じ厚さであってもよい。また、第１シート７１および第２シート７２に加えて、第３、第４またはそれ以上のシートを有していてもよい。
【００３５】
一方、図１に示すように、第２調整部材８は、第１突出部４の側頭部支持部２Ｂ、２Ｃにあたる部分の高さを調整する第１突出部調整部材８０と、第２突出部５の側頭部支持部２Ｂ、２Ｃにあたる部分の高さを調整する第２突出部調整部材８５と、を有している。
【００３６】
第１突出部調整部材８０は、一対の第１パッド８１、８２と一対の第２パッド８３、８４とを有している。また、第１パッド８１および第２パッド８３は、側頭部支持部２Ｂにおいて第１突出部４に装着され、第１パッド８２および第２パッド８４は、側頭部支持部２Ｃにおいて第１突出部４に装着される。なお、第１パッド８１、８２は、互いに同じ形状となっているため、第１パッド８１を側頭部支持部２Ｃ側に装着し、第１パッド８２を側頭部支持部２Ｂ側に装着することも可能である。同様に、第２パッド８３、８４は、互いに同じ形状となっているため、第２パッド８３を側頭部支持部２Ｃ側に装着し、第２パッド８４を側頭部支持部２Ｂ側に装着することも可能である。
【００３７】
上述のように、第１パッド８１、８２が互いに同じ形状となっており、第２パッド８３、８４が互いに同じ形状となっているため、以下では、第１パッド８１および第２パッド８３について代表して説明し、第１パッド８２および第２パッド８４については、その説明を省略する。
【００３８】
図８に示すように、第１パッド８１は、第１突出部４の表面４１に倣ってラウンド状に湾曲しており、第１突出部４の表面４１に被せるようにして装着される。また、第１パッド８１は、側頭部支持部２Ｂにおいて第１突出部４に被せられる基部８１１と、側頭部支持部２Ｂと後頭部支持部２Ａとの境界部および凹部４２の縁部を覆う内側端部８１２と、側頭部支持部２Ｂにおいて第１突出部４の側面に被せられる外側端部８１３と、を有している。
【００３９】
また、図９に示すように、基部８１１は、幅方向に沿ってほぼ一定の厚さを有している。また、内側端部８１２は、凹部４２に倣って湾曲している。そのため、凹部４２と第１パッド８１との境界部が実質的に連続したものとなり、当該部分に大きな段差等が形成されてしまうことを防止することができる。
【００４０】
また、第１突出部４の表面４１には被係合部としての凹部４１１が形成され、基部８１１の裏面には凹部４１１に係合する係合部としての凸部８１１ａが形成されている。そのため、凸部８１１ａを凹部４１１に嵌め込むことにより、第１パッド８１を第１突出部４に対して正確に装着できると共に、第１パッド８１のずれを防止することができる。
【００４１】
図１０に示すように、第２パッド８３は、第１突出部４の表面４１に倣ってラウンド状に湾曲しており、第１突出部４の表面４１に被せるようにして装着される。また、第２パッド８３は、側頭部支持部２Ｂにおいて第１突出部４に被せられる基部８３１と、側頭部支持部２Ｂと後頭部支持部２Ａとの境界部および凹部４２の縁部に被される内側端部８３２と、を有している。
【００４２】
また、図１１に示すように、基部８３１は、幅方向に沿ってほぼ一定の厚さを有している。また、内側端部８３２は、凹部４２に倣って湾曲している。そのため、第２パッド８３を第１突出部４に装着した状態では、凹部４２と第２パッド８３との境界部が実質的に連続したものとなり、当該部分に大きな段差等が形成されてしまうことを防止することができる。
【００４３】
また、基部８３１の裏面には凹部４１１に係合する係合部としての凸部８３１ａが形成されている。そのため、凸部８３１ａを凹部４１１に嵌め込むことにより、第２パッド８３を第１突出部４に対して正確に装着できると共に、第２パッド８３のずれを防止することができる。
【００４４】
このような第２パッド８３は、上述したように、第１突出部４に直接装着することもできるし、図１２および図１３に示すように、第１突出部４に装着された第１パッド８１に被せるようにして装着することもできる。図１３に示すように、本実施形態では、基部８１１の表面に被係合部としての凹部８１１ｂが形成されており、この凹部８１１ｂに凸部８３１ａを嵌め込むことにより、第２パッド８３を第１パッド８１に対して正確に装着できると共に、第２パッド８３のずれを防止することができる。
【００４５】
また、図１３に示すように、第２パッド８３は、第１パッド８１よりも若干小さく形成されており、第１パッド８１に装着した状態では、第１パッド８１の内側端部８１２が第２パッドの内側端部８３２から露出している。そのため、凹部４２と第１パッド８１との境界部の外側に第１パッド８１と第２パッド８３との境界部が位置している。このように、凹部４２と第１パッド８１との境界部の外側に第１パッド８１と第２パッド８３との境界部が位置することにより、第１、第２パッド８１、８３によって凹部４２の幅が過度に狭まってしまうことを防止することができる。そのため、後頭部支持部２Ａの機能を損なうことなく、第１突出部４に第１、第２パッド８１、８３を装着することができる。
【００４６】
本実施形態では、第１パッド８１の基部８１１が第２パッド８３の基部８３１よりも厚い。そのため、第１、第２パッド８１、８３を共に用いない場合、第１パッド８１だけを用いる場合、第２パッド８３だけを用いる場合、第１、第２パッド８１、８３を重ねて共に用いる場合の４段階で第１突出部４の高さを変更することができる。基部８１１の厚さＴ８１としては、特に限定されないが、例えば、２０ｍｍ〜３０ｍｍ程度とすることができる。また、基部８３１の厚さＴ８３としては、特に限定されないが、例えば、１０ｍｍ〜２０ｍｍ程度とすることができる。
【００４７】
ここで、図１３に示す平面視で、第１パッド８１の内側端部８１２と第２パッド８３の内側端部８３２との接線Ｌ１と、枕本体２の高さ方向に沿う軸Ｏ（裏面２０の法線）と、の成す角θ１としては、特に限定されないが、例えば、４５°〜５５°程度であることが好ましく、４７°〜５０°程度であることがより好ましい。これにより、より適切に、使用者の首や頭部を支持することができる。
【００４８】
なお、第１突出部調整部材８０の構成は、特に限定されない。例えば、第１パッド８１、８２および第２パッド８３、８４の一方を省略してもよい。また、第１パッド８１、８２および第２パッド８３、８４が同じ厚さであってもよい。また、第１パッド８１、８２および第２パッド８３、８４に加えて、第３、第４またはそれ以上のパッドを有していてもよい。
【００４９】
図１に示すように、第２突出部調整部材８５は、一対の第１パッド８６、８７と一対の第２パッド８８、８９とを有している。また、第１パッド８６および第２パッド８８は、側頭部支持部２Ｂにおいて第２突出部５に装着され、第１パッド８７および第２パッド８９は、側頭部支持部２Ｃにおいて第２突出部５に装着される。なお、第１パッド８６、８７は、互いに同じ形状となっているため、第１パッド８６を側頭部支持部２Ｃ側に装着し、第１パッド８７を側頭部支持部２Ｂ側に装着することも可能である。同様に、第２パッド８８、８９は、互いに同じ形状となっているため、第２パッド８８を側頭部支持部２Ｃ側に装着し、第２パッド８９を側頭部支持部２Ｂ側に装着することも可能である。
【００５０】
上述のように、第１パッド８６、８７が互いに同じ形状となっており、第２パッド８８、８９が互いに同じ形状となっているため、以下では、第１パッド８６および第２パッド８８について代表して説明し、第１パッド８７および第２パッド８９については、その説明を省略する。
【００５１】
図８に示すように、第１パッド８６は、第２突出部５の表面５１に倣ってラウンド状に湾曲しており、第２突出部５の表面５１に被せるようにして装着される。また、第１パッド８６は、側頭部支持部２Ｂにおいて第２突出部５に被せられる基部８６１と、側頭部支持部２Ｂと後頭部支持部２Ａとの境界部および凹部５２の縁部に被せられる内側端部８６２と、側頭部支持部２Ｂにおいて第２突出部５の側面に被せられる外側端部８６３と、を有している。
【００５２】
また、図１４に示すように、基部８６１は、幅方向に沿ってほぼ一定の厚さを有している。また、内側端部８６２は、凹部５２に倣って湾曲している。そのため、凹部５２と第１パッド８６との境界部が実質的に連続したものとなり、当該部分に大きな段差等が生じるのを防止することができる。
【００５３】
また、第２突出部５の表面５１には被係合部としての凹部５１１が形成され、基部８６１の裏面には凹部５１１に係合する係合部としての凸部８６１ａが形成されている。そのため、凸部８６１ａを凹部５１１に嵌め込むことにより、第１パッド８６を第２突出部５に対して正確に装着できると共に、第１パッド８６のずれを防止することができる。
【００５４】
図１０に示すように、第２パッド８８は、第２突出部５の表面５１に倣ってラウンド状に湾曲し、第２突出部５の表面５１に被せるようにして装着される。また、第２パッド８８は、側頭部支持部２Ｂにおいて第２突出部５に被せられる基部８８１と、側頭部支持部２Ｂと後頭部支持部２Ａとの境界部および凹部４２の縁部に被せられる内側端部８８２と、を有している。
【００５５】
また、図１５に示すように、基部８８１は、幅方向に沿ってほぼ一定の厚さを有している。また、内側端部８８２は、凹部５２に倣って湾曲している。そのため、第２パッド８８を第２突出部５に装着した状態では、凹部５２と第２パッド８８との境界部が実質的に連続したものとなり、当該部分に大きな段差等が生じるのを防止することができる。
【００５６】
また、基部８８１の裏面には凹部５１１に係合する係合部としての凸部８８１ａが形成されている。そのため、凸部８８１ａを凹部５１１に嵌め込むことにより、第２パッド８８を第２突出部５に対して正確に装着できると共に、第２パッド８８のずれを防止することができる。
【００５７】
なお、第２パッド８８は、上述したように、第２突出部５に直接装着することもできるし、図１２および図１６に示すように、第２突出部５に装着された第１パッド８６に被せて装着することもできる。図１６に示すように、本実施形態では、基部８６１の表面に被係合部としての凹部８６１ｂが形成されており、この凹部８６１ｂに凸部８８１ａを嵌め込むことにより、第２パッド８８を第１パッド８６に対して正確に装着できると共に、第２パッド８８のずれを防止することができる。
【００５８】
また、図１６に示すように、第２パッド８８は、第１パッド８６よりも若干小さく形成されており、第１パッド８１に装着した状態では、第１パッド８６の内側端部８６２が、第２パッド８８の内側端部８８２から露出している。そのため、凹部５２と第１パッド８６との境界部の外側に第１パッド８６と第２パッド８８との境界部が位置している。このように、凹部５２と第１パッド８６との境界部の外側に第１パッド８６と第２パッド８８との境界部が位置することにより、第１、第２パッド８６、８８によって凹部５２の幅が過度に狭まってしまうことを防止することができる。そのため、後頭部支持部２Ａの機能を損なうことなく、第２突出部５に第１、第２パッド８６、８８を装着することができる。
【００５９】
本実施形態では、第１パッド８６の基部８６１が第２パッド８８の基部８８１よりも厚い。そのため、第１、第２パッド８６、８８を共に用いない場合、第１パッド８６だけを用いる場合、第２パッド８８だけを用いる場合、第１、第２パッド８６、８８を重ねて共に用いる場合の４段階で第２突出部５の高さを変更することができる。基部８６１の厚さＴ８６としては、特に限定されないが、例えば、２０ｍｍ〜３０ｍｍ程度とすることができる。また、基部８８１の厚さＴ８８としては、特に限定されないが、例えば、１０ｍｍ〜２０ｍｍ程度とすることができる。
【００６０】
ここで、図１６に示す平面視で、第１パッド８６の内側端部８６２と第２パッド８８の内側端部８８２との接線Ｌ２と、枕本体２の高さ方向に沿う軸Ｏ（裏面２０の法線）と、の成す角θ２としては、特に限定されないが、例えば、４５°〜５５°程度であることが好ましく、４７°〜５０°程度であることがより好ましい。これにより、より適切に、使用者の首や頭部を支持することができる。
【００６１】
なお、第２突出部調整部材８５の構成は、上述した構成に特に限定されない。例えば、第１パッド８６、８７および第２パッド８８、８９の一方を省略してもよい。また、第１パッド８６、８７および第２パッド８８、８９が同じ厚さであってもよい。また、第１パッド８６、８７および第２パッド８８、８９に加えて、第３、第４またはそれ以上のパッドを有していてもよい。
【００６２】
以上、高さ調整部材６について説明した。なお、第１シート７１、第２シート７２、第１パッド８１、８２、８６、８７および第２パッド８３、８４、８８、８９は、それぞれ、如何なる材料で形成されていてもよい。例えば、これらは、枕本体２と同様に、発砲ウレタン等の材料から一体形成することができる。また、これらは、カバーと、カバー内に充填された充填物（詰め物）と、から構成することもできる。カバーの生地としては、例えば、綿、絹、麻、ウール、ナイロン、レーヨン、アクリル、ポリエステル製の布等を用いることができ、充填物としては、例えば、そばがら、ヒノキチップ、パイプ、ポリエチレンビーンズ、羽毛、羽根、綿わた、ポリエステルわた、ファイバーボール等を用いることができる。
【００６３】
以上、本発明の枕１について、図示の実施形態に基づいて説明したが、本発明はこれに限定されるものではない。例えば、各部の構成は、同様の機能を発揮する任意の構成のものに置換することができ、また、任意の構成を付加することもできる。
【００６４】
例えば、枕本体２に、各種センサーを内蔵してもよい。各種センサーとしては、特に限定されないが、例えば、温度センサー、圧力センサー、音センサー等が挙げられる。温度センサーを内蔵した場合には睡眠時の使用者の体温を測定することができる。また、例えば、後頭部支持部２Ａ、側頭部支持部２Ｂおよび側頭部支持部２Ｃのそれぞれに圧力センサーを内蔵し、各圧力センサーの検出結果に基づいて、使用者の寝相を検出することができる。例えば、後頭部支持部２Ａに内蔵された圧力センサーが圧力を検出すれば、仰臥位であると判断し、側頭部支持部２Ｂに内蔵された圧力センサーが圧力を検出すれば、一方側を向いた横臥位であると判断し、側頭部支持部２Ｃに内蔵された圧力センサーが圧力を検出すれば、他方側を向いた横臥位であると判断することができるため、この情報に基づいて、各体位でそれぞれ何時間睡眠をとったかや、寝返りの回数を検出することができる。当該情報を使用者に報知したり、ＡＩ（人工知能）等を活用してこれらの情報に基づいて睡眠時間や睡眠方法等を使用者に教示したりすることにより、より優れた睡眠を提供することができる。また、音センサーを内蔵した場合には睡眠時のいびきを検出することができる。この検出結果を使用者に報知することにより、睡眠の改善を促すことができ、より優れた睡眠を提供することができる。
【００６５】
また、例えば、図１７に示すように、枕本体２は、その裏面２０と凹部３３とに貫通する貫通孔２２を有していてもよい。このような貫通孔２２を配置することにより、通気性が向上し、後頭部が蒸れ難くなる。なお、図示の構成では、貫通孔２２は、裏面２０に開口する凹部２２１と、凹部２２１の底面と凹部３３とを貫通し、凹部２２１よりも小さい径を有する貫通孔２２２と、から構成されている。ただし、貫通孔２２の構成は、特に限定されない。
【００６６】
また、例えば、図１８に示すように、側頭部支持部２Ｂ、２Ｃにおいて、基部３の表面３１であって第１突出部４と第２突出部５との間に凹部３１１が形成されていてもよい。これら凹部３１１は、例えば、アロマ、漢方、香草を配置するための配置部として用いることができる。なお、凹部３１１の深さとしては、特に限定されないが、例えば、２０ｍｍ〜２５ｍｍ程度とすることができる。
【００６７】
また、例えば、図１９に示すように、枕本体２は、その裏面２０に開口する有底の凹部２３を有していてもよい。この凹部２３には、例えば、前述したＡＩ（人工知能）の少なくとも一部を構成するコンピューターを配置することができる。これにより、枕本体２にＡＩを内蔵することができ、より利便性の高い枕１となる。なお、凹部２３の形状は、枠状に限定されない。
【符号の説明】
【００６８】
１          枕
２          枕本体
２０        裏面
２１        凹部
２２        貫通孔
２２１      凹部
２２２      貫通孔
２３        凹部
２Ａ        後頭部支持部
２Ｂ        側頭部支持部
２Ｃ        側頭部支持部
３          基部
３１        表面
３１１      凹部
３３        凹部
４          第１突出部
４１        表面
４１１      凹部
４２        凹部
５          第２突出部
５１        表面
５１１      凹部
５２        凹部
６          高さ調整部材
７          第１調整部材
７１        第１シート
７２        第２シート
８          第２調整部材
８０        第１突出部調整部材
８１        第１パッド
８１１      基部
８１１ａ    凸部
８１１ｂ    凹部
８１２      内側端部
８１３      外側端部
８２        第１パッド
８３        第２パッド
８３１      基部
８３１ａ    凸部
８３２      内側端部
８４        第２パッド
８５        第２突出部調整部材
８６        第１パッド
８６１      基部
８６１ａ    凸部
８６１ｂ    凹部
８６２      内側端部
８６３      外側端部
８７        第１パッド
８８        第２パッド
８８１      基部
８８１ａ    凸部
８８２      内側端部
８９        第２パッド
Ｌ１        接線
Ｌ２        接線
Ｌ４        奥行き
Ｌ５        奥行き
Ｏ          軸
Ｔ３１      高さ
Ｔ３２      高さ
Ｔ３３      高さ
Ｔ４        高さ
Ｔ４０      高さ
Ｔ５        高さ
Ｔ５０      高さ
Ｔ８１      厚さ
Ｔ８３      厚さ
Ｔ８６      厚さ
Ｔ８８      厚さ
Ｗ４        幅
Ｗ５        幅
θ１        角
θ２        角
【図１】
2020031780.tif 000003
【図２】
2020031780.tif 000004
【図３】
2020031780.tif 000005
【図４】
2020031780.tif 000006
【図５】
2020031780.tif 000007
【図６】
2020031780.tif 000008
【図７】
2020031780.tif 000009
【図８】
2020031780.tif 000010
【図９】
2020031780.tif 000011
【図１０】
2020031780.tif 000012
【図１１】
2020031780.tif 000013
【図１２】
2020031780.tif 000014
【図１３】
2020031780.tif 000015
【図１４】
2020031780.tif 000016
【図１５】
2020031780.tif 000017
【図１６】
2020031780.tif 000018
【図１７】
2020031780.tif 000019
【図１８】
2020031780.tif 000020
【図１９】
2020031780.tif 000021